(57)【要約】【課題】病院等の施設において、例えば感染症患者を病室に隔離する施設では、室内における気圧と室外における気圧との気圧差を利用していることから、病室等を出入りする人間の生体にとっては、耳詰まりや内耳に負担がかかったりする等の問題が生じる。【解決手段】減圧室２０と連通及び非連通可能な一般室３０における気圧を検出する気圧検出部と、検出された一般室３０における気圧に基づいて、隔離室１０における気圧及び減圧室２０における気圧を調整する気圧調整部５０とを備える。そして、気圧調整部５０は、隔離室１０における気圧を、一般室３０における気圧と同じ気圧になるように調整する。【選択図】図４
2010240282.tif 000002
【特許請求の範囲】
【請求項１】
第１の室内及び当該第１の室内と連通及び非連通可能な第２の室内の気圧を制御する気圧制御装置であって、
前記第２の室内と連通及び非連通可能な室外における気圧を検出する気圧検出部と、
前記検出された室外における気圧に基づいて、前記第１の室内における気圧及び前記第２の室内における気圧を調整する気圧調整部と、を有し、
前記気圧調整部は、前記第１の室内における気圧を、前記室外における気圧と同じ気圧になるように調整することを特徴とする気圧制御装置。
【請求項２】
前記気圧調整部は、前記第２の室内における気圧を、前記室外における気圧よりも低い気圧になるように調整することを特徴とする請求項１に記載の気圧制御装置。
【請求項３】
前記気圧調整部は、前記第２の室内における気圧を、前記室外における気圧よりも高い気圧になるように調整することを特徴とする請求項１に記載の気圧制御装置。
【請求項４】
前記第２の室内における空気を清浄化する空気清浄部を更に有し、
前記空気清浄部は、前記第１の室内から流入した空気、及び前記室外から流入した空気を清浄化することを特徴とする請求項１から３のいずれか一項に記載の気圧制御装置。
【請求項５】
前記第１の室内は、前記室外から隔離された隔離室であることを特徴とする請求項１から４のいずれか一項に記載の気圧制御装置。
【請求項６】
第１の室内及び当該第１の室内と連通及び非連通可能な第２の室内の気圧を制御する気圧制御装置の制御方法であって、
前記第２の室内と連通及び非連通可能な室外における気圧を検出する気圧検出工程と、
前記検出された室外における気圧に基づいて、前記第１の室内における気圧及び前記第２の室内における気圧を調整する気圧調整工程と、を有し、
前記気圧調整工程は、前記第１の室内における気圧を、前記室外における気圧と同じ気圧になるように調整することを特徴とする気圧制御装置の制御方法。
【発明の詳細な説明】
【技術分野】
【０００１】
本発明は、気圧制御装置及び気圧制御装置の制御方法に関する。
【背景技術】
【０００２】
感染症患者が入院する病室の場合、患者から発生する感染性の病原菌が室外に流出するのを防ぐため、室内圧力が室外よりも陰圧に制御される。一方、免疫機能が不全又は低下した患者、または伝染病などの患者については、彼らを隔離して治療する無菌病室が必要となる。即ち、感染症患者のためには、患者から外部への感染菌の拡散を防止するために室内を陰圧とした閉鎖型対策室があり、免疫不全症患者のためには、患者に外部からの細菌感染を防止するために室内を陽圧とした無菌病室がある。
【０００３】
例えば、下記の特許文献１では、図８に示す清浄度の高い感染症病室を提案している。ここでは、感染症病室Ｖ１０が、病室Ｖ１２と前室Ｖ１４とからなり、病室Ｖ１２が前室Ｖ１４に対して陰圧制御されるとともに、前室Ｖ１４が室外に対して陰圧制御されている。そして、室外側差圧調整ダンパＶ３８を通って室外から前室Ｖ１４内に流入する空気の大部分が前室用排気口Ｖ３４から排気されるようにし、病室側差圧調整ダンパＶ３６を通って前室Ｖ１４から病室Ｖ１２内に流入する空気の大部分が前室用給気口Ｖ３２から供給される清浄空気とすることで、室内を常に清浄な状態に保つようにしている。
【０００４】
また、特許文献２では、感染症患者の菌の流出を防止するとともに、感染症患者の人権を配慮し、且つ、医療スタッフの安全を確保することができる感染症患者のための病室を提供している。具体的には、病室の空調手段に複数の空調運転モード、即ち、室内を陰圧にして菌の流出を防止する通常運転モードと、医療スタッフの安全性を考慮した治療時運転モードと、患者の人権を配慮した夜間運転モードと、を空調手段に持たせるようにし、これらの運転モードを切替手段によって状況に応じて適宜切り替えている。
【０００５】
また、特許文献３では、陰陽圧の切り替えが可能で、良好な室内環境が得られる無菌病室を提供している。具体的には、図９に示すように、患者の空気感染を防止するための無菌病室Ｗ１が、ベッドＷ２が設置された治療室Ｗ３と、この治療室Ｗ３へ出入りするための出入り口Ｗ３Ａを有した前室Ｗ４とを備えている。そして、給気ユニットＷ７及び排気ユニットＷ８の給排気流量により、カーテンＷ６で囲まれて治療室Ｗ３から仕切られた領域ＷＢ内が、陰圧又は陽圧のいずれかに設定されるようにしている。
【０００６】
また、特許文献４では、非常時等に急遽設営可能な陰圧施設及び陽圧施設を実現するために、図１０に示すようなテントＸ１の構造として、テントＸ１の内部空間を陰圧又は陽圧に保ちつつ、効率よくテント内の空気を置換できるようにしている。ここで、テントＸ１の内部空間と外界との気圧差が一気に縮まるのを防ぐために、前室Ｘ２を設けて、テントＸ１の内部空間を陰圧にしている場合は前室Ｘ２も陰圧とし、内部空間を陽圧にしている場合は前室Ｘ２も陽圧としている。
【先行技術文献】
【特許文献】
【０００７】
【特許文献１】特開２００３−５００３１号公報
【特許文献２】特開２００３−２４３９６号公報
【特許文献３】特開２００４−１５９７３０号公報
【特許文献４】特開２００５−２６４５号公報
【発明の概要】
【発明が解決しようとする課題】
【０００８】
しかしながら、上記した特許文献１〜４のような病室やテント等の施設では、室内における気圧と室外における気圧との気圧差を利用していることから、病室等を出入りする人間の生体にとっては、耳詰まりや内耳に負担がかかったりする等の問題が生じ、特に、体力が常人に比べて十分とは言えない患者にとっては、大きな生体的負担になってしまうという問題があった。
【課題を解決するための手段】
【０００９】
本発明は、上述の課題の少なくとも一部を解決するためになされたものであり、以下の形態又は適用例として実現することが可能である。
【００１０】
［適用例１］第１の室内及び当該第１の室内と連通及び非連通可能な第２の室内の気圧を制御する気圧制御装置であって、前記第２の室内と連通及び非連通可能な室外における気圧を検出する気圧検出部と、前記検出された室外における気圧に基づいて、前記第１の室内における気圧及び前記第２の室内における気圧を調整する気圧調整部と、を有し、前記気圧調整部は、前記第１の室内における気圧を、前記室外における気圧と同じ気圧になるように調整することを特徴とする気圧制御装置。
【００１１】
上記した気圧制御装置によれば、気圧調整部は、気圧検出部によって検出された室外における気圧に基づいて、第１の室内及び第２の室内における気圧を調整する。その際、第１の室内における気圧が室外における気圧と同じ気圧になるように調整する。これにより、室外から第２の室内を通って第１の室内に入室する人、逆に、第１の室内から第２の室内を通って室外へ退室する人に生じる、気圧差による耳詰まりや内耳に負担を掛けてしまう等の問題を解消することができる。
【００１２】
［適用例２］前記気圧調整部は、前記第２の室内における気圧を、前記室外における気圧よりも低い気圧になるように調整する上記気圧制御装置。
【００１３】
上記した気圧制御装置によれば、第２の室内における気圧は、室外における気圧よりも低い気圧となり、また、第１の室内における気圧よりも低い気圧となる。これにより、室外及び第１の室内から第２の室内に流入した空気に含まれる例えば塵埃や菌などの異物等を、気圧差を利用して取り除くことができる。更に、第１の室内及び室外における気圧が、第２の室内における気圧よりも高いことから、第２の室内における異物等を含む空気が、逆に第１の室内及び室外に流出してしまうのを抑制することができる。
【００１４】
［適用例３］前記気圧調整部は、前記第２の室内における気圧を、前記室外における気圧よりも高い気圧になるように調整する上記気圧制御装置。
【００１５】
上記した気圧制御装置によれば、第２の室内における気圧は、室外における気圧よりも高い気圧となり、また、第１の室内における気圧よりも高い気圧となる。第２の室内における気圧が、第１の室内及び室外における気圧よりも高いことから、第１の室内及び室外の空気に含まれる例えば塵埃や菌などの異物等が、第２の室内に流入してしまうのを抑制することができる。また、異物等が第２の室内に流入してしまった場合は、気圧差を利用してこれらを取り除くことができる。
【００１６】
［適用例４］前記第２の室内における空気を清浄化する空気清浄部を更に有し、前記空気清浄部は、前記第１の室内から流入した空気、及び前記室外から流入した空気を清浄化する上記気圧制御装置。
【００１７】
上記した気圧制御装置によれば、第２の室内の空気清浄部により、第１の室内及び室外から流入した空気に含まれる例えば塵埃や菌などの異物等を取り除いて空気を清浄化することができる。
【００１８】
［適用例５］前記第１の室内は、前記室外から隔離された隔離室である上記気圧制御装置。
【００１９】
上記した気圧制御装置によれば、第１の室内が隔離室であることから、例えば、免疫機能が不全または低下した患者、又は伝染病などの患者について、彼らを当該隔離室に隔離して治療することができる。
【００２０】
［適用例６］第１の室内及び当該第１の室内と連通及び非連通可能な第２の室内の気圧を制御する気圧制御装置の制御方法であって、前記第２の室内と連通及び非連通可能な室外における気圧を検出する気圧検出工程と、前記検出された室外における気圧に基づいて、前記第１の室内における気圧及び前記第２の室内における気圧を調整する気圧調整工程と、を有し、前記気圧調整工程は、前記第１の室内における気圧を、前記室外における気圧と同じ気圧になるように調整することを特徴とする気圧制御装置の制御方法。
【００２１】
上記した気圧制御装置の制御方法によれば、気圧調整工程において、気圧検出工程によって検出された室外における気圧に基づいて、第１の室内及び第２の室内における気圧を調整する。その際、第１の室内における気圧が室外における気圧と同じ気圧になるように調整する。これにより、室外から第２の室内を通って第１の室内に入室する人、逆に、第１の室内から第２の室内を通って室外へ退室する人に生じる、気圧差による耳詰まりや内耳に負担を掛けてしまう等の問題を解消することができる。
【図面の簡単な説明】
【００２２】
【図１】気圧制御装置の概略構成図。
【図２】気圧コントローラーの構成を示す図。
【図３】圧力センサーの構成を示す図であり、（Ａ）は圧力センサーの断面図、（Ｂ）は同図（Ａ）におけるＡ−Ａ断面を示す図。
【図４】気圧制御装置の機能構成を示すブロック図。
【図５】気圧制御装置の動作を示すフローチャート。
【図６】第２実施形態に係る気圧制御装置の機能構成を示すブロック図。
【図７】第２実施形態に係る気圧制御装置の動作を示すフローチャート。
【図８】従来の感染症病室を示す図。
【図９】従来の無菌病室を示す図。
【図１０】従来の陰圧施設及び陽圧施設としてのテントを示す図。
【図１１】従来の圧力センサーの構造を示す図。
【発明を実施するための形態】
【００２３】
（第１実施形態）
以下、第１実施形態に係る気圧制御装置について、図面を参照して説明する。
【００２４】
最初に、第１実施形態に係る気圧制御装置の概略構成について説明する。
図１は、第１実施形態に係る気圧制御装置１の概略構成図である。同図では、第１の室内としての隔離室１０、第２の室内としての減圧室２０、及び減圧室２０の室外となる一般室３０の３つの室内が示されている。隔離室１０と減圧室２０とは、開閉ドアＤ１を介して互いに連通及び非連通可能となっている。即ち、開閉ドアＤ１が開いているときは隔離室１０と減圧室２０とが連通状態であり、開閉ドアＤ１が閉じているときは非連通状態となる。また、減圧室２０と一般室３０とは、開閉ドアＤ２を介して互いに連通及び非連通可能となっている。即ち、開閉ドアＤ２が開いているときは減圧室２０と一般室３０とが連通状態であり、開閉ドアＤ２が閉じているときは非連通状態となる。
【００２５】
隔離室１０及び減圧室２０のそれぞれには、気圧コントローラー７０が配設されており、隔離室１０における気圧を一定の設定気圧Ｐ１、減圧室２０における気圧を一定の設定気圧Ｐ２に保つようにしている。
図２は、気圧コントローラー７０の構成を示す図である。同図に示すように、気圧コントローラー７０は、ポンプ機構７１、給気ダクト７２、排気ダクト７３等により構成されて、気圧検出部としての圧力センサーＳ１が備えられている。
隔離室１０に配設されている気圧コントローラー７０の場合、ポンプ機構７１が、給気ダクト７２から隔離室１０に給気して隔離室１０の気圧を上昇させ、排気ダクト７３から隔離室１０の室外に排気して隔離室１０の気圧を下降させる。そして、圧力センサーＳ１が、隔離室１０の気圧を検出して、この検出した気圧に基づいてポンプ機構７１が給排気することにより、隔離室１０の気圧を一定の設定気圧Ｐ１に保つようにしている。なお、減圧室２０に配設されている気圧コントローラー７０についても同様の構成となる。
【００２６】
また、ポンプ機構７１における給気ダクト７２の吸気口及び排気ダクト７３の排気口には、図示しないフィルターが取り付けられており、給排気する空気の清浄化を行う空気清浄部としての機能を有している。
一方、圧力センサーＳ１は一般室３０にも配設されており、ここでは一般室３０における気圧Ｐ３を検出している。
【００２７】
なお、本実施形態では、減圧室２０の室外として一般室３０の例を示しているが、一般室３０は、屋内施設に限られず屋外であっても良い。また、隔離室１０としては、例えば、手術室、検査室、病室、無菌室、クリーンルーム等が適用できる。
【００２８】
ここで、圧力センサーＳ１は、各室内の気圧を高精度に検出するために、双音叉振動子を搭載したダイアフラム型の圧力センサーを用いることが望ましい。図３は、圧力センサーＳ１の構成を示す図であり、（Ａ）は圧力センサーの断面図、（Ｂ）は同図（Ａ）におけるＡ−Ａ断面を示す図である。圧力センサーＳ１は、ダイアフラム１２０と、このダイアフラム１２０と対向して設けられる容器１４０、及び感圧素子としての圧電振動片１３０とを基本構成とする絶対圧センサーである。
【００２９】
上記のような基本構成を有する圧力センサーＳ１のうち、ダイアフラム１２０は、外部（図３（Ａ）では上方）からの圧力を受圧すると、受圧した圧力によって撓み変形する薄肉部１２２と、この薄肉部１２２の周囲に形成される枠部１２８とを基本構成とする。そして、本実施形態のダイアフラム１２０は薄肉部１２２の一方の面に、詳細を後述する圧電振動片１３０を載置、固定するための支持部１２４を有する。支持部１２４は圧電振動片１３０を２点で支持するために設けられるものであり、圧電振動片１３０の両端部を固定するために、対を成すように形成されている。また、薄肉部１２２の他方の面には、圧電振動片１３０を支持部１２４に載置した際に、圧電振動片１３０の振動部１３４が位置することとなる部位に対応させて、厚肉化するための突出部１２６を設けても良い。
【００３０】
本実施形態で採用する圧電振動片１３０は、いわゆる双音叉振動子である。双音叉型の振動子は、振動部の両端部に基部１３２を有し、この２つの基部１３２の間に双音叉形状を成す振動部１３４を有する。このような構成の双音叉型の振動子は、双音叉形状を成す振動部１３４に内部応力を生じさせると、共振周波数が変化するという特性を持っている。具体的には、振動部１３４に引張応力が生じると共振周波数が高くなり、圧縮応力が生じると共振周波数は低くなる。従って、圧力センサーＳ１において、ダイアフラム１２０が圧力を受圧すると、受圧した圧力によってダイアフラム１２０は撓み変形し、支持部１２４を介して双音叉振動子に引張力が作用するので、双音叉振動子に引張応力が生じ共振周波数が変化することとなる。この共振周波数の変化から圧力変化を検出する。
【００３１】
次に、気圧制御装置１の機能構成について説明する。
図４は、気圧制御装置１の機能構成を示すブロック図である。同図に示すように、気圧制御装置１は、隔離室１０及び減圧室２０のそれぞれに気圧コントローラー７０を備え、気圧コントローラー７０は、ポンプ機構７１、圧力センサーＳ１及び制御部７５を有している。制御部７５は、図示しないＣＰＵ、ＲＡＭ及びＲＯＭ等を備えて、圧力センサーＳ１が検出した室内の気圧に基づいて、ポンプ機構７１を作動させて、室内の気圧が一定の設定気圧に保たれるように制御している。
【００３２】
更に、気圧制御装置１は気圧調整部５０を備えている。気圧調整部５０は、隔離室１０に対しての設定気圧Ｐ１、及び減圧室２０に対しての設定気圧Ｐ２の設定値を調整する。そして、調整した設定値に基づいて隔離室１０及び減圧室２０の各気圧コントローラー７０を制御することにより、隔離室１０が設定気圧Ｐ１の状態に、減圧室２０が設定気圧Ｐ２の状態に保たれるようにする。
【００３３】
ここで、気圧調整部５０は、一般室３０の圧力センサーＳ１によって検出された気圧Ｐ３に基づいて、隔離室１０の設定気圧Ｐ１を一般室３０の気圧Ｐ３と同じ気圧になるように設定値を調整する。また、減圧室２０の設定気圧Ｐ２を、隔離室１０の設定気圧Ｐ１及び一般室３０の気圧Ｐ３よりも低い設定値になるように調整する。
【００３４】
次に、気圧制御装置１の動作について説明する。
図５は、気圧制御装置１の動作を示すフローチャートである。同図に示すフローチャートは、気圧制御装置１の図示しない開始スイッチがオンされた場合に開始されて、オフされた場合に終了する。なお、気圧制御装置１の開始スイッチがオンされたときには、隔離室１０及び減圧室２０の各気圧コントローラー７０と、一般室３０の圧力センサーＳ１とは既に作動しているものとする。
【００３５】
気圧制御装置１は、一般室３０の圧力センサーＳ１により、一般室３０における気圧Ｐ３を検出する（ステップＳ１１）。
【００３６】
次に、気圧制御装置１は、減圧室２０の圧力センサーＳ１により、減圧室２０における気圧を検出する（ステップＳ１２）。
【００３７】
次に、気圧制御装置１は、気圧調整部５０により、ステップＳ１２において検出した減圧室２０の気圧が、一般室３０の気圧Ｐ３から所定の気圧を減算した設定気圧Ｐ２と等しいか否かを判定する（ステップＳ１３）。
【００３８】
減圧室２０の気圧が設定気圧Ｐ２と等しくない場合（ステップＳ１３：Ｎｏ）は、減圧室２０の気圧コントローラー７０により、減圧室２０の気圧が設定気圧Ｐ２に近づくように気圧を上昇又は下降させる（ステップＳ１４）。そして、ステップＳ１２に戻り、減圧室２０における気圧の検出を繰り返す。
ここでは、ステップＳ１２〜Ｓ１４の処理を繰り返して行うことにより、減圧室２０の気圧が設定気圧Ｐ２と等しくなる。なお、減圧室２０の気圧が設定気圧Ｐ２に厳密に一致するのではなく微小な差異があっても良い。
【００３９】
減圧室２０の気圧が設定気圧Ｐ２と等しくなった場合（ステップＳ１３：Ｙｅｓ）は、ステップＳ１５へ進む。ステップＳ１５では、気圧制御装置１は、隔離室１０の圧力センサーＳ１により、隔離室１０における気圧を検出する。
【００４０】
次に、気圧制御装置１は、気圧調整部５０により、ステップＳ１５において検出した隔離室１０の気圧が一般室３０の気圧Ｐ３と等しいか否かを判定する（ステップＳ１６）。
【００４１】
隔離室１０の気圧が一般室３０の気圧Ｐ３と等しくない場合（ステップＳ１６：Ｎｏ）は、隔離室１０の気圧コントローラー７０により、隔離室１０の気圧が一般室３０の気圧Ｐ３に近づくように気圧を上昇又は下降させる（ステップＳ１７）。そして、ステップＳ１５に戻り、隔離室１０における気圧の検出を繰り返す。
ここでは、ステップＳ１５〜Ｓ１７の処理を繰り返して行うことにより、隔離室１０の気圧が一般室３０の気圧Ｐ３と等しくなる。なお、隔離室１０の気圧が一般室３０の気圧Ｐ３に厳密に一致するのではなく微小な差異があっても良い。
【００４２】
隔離室１０の気圧が一般室３０の気圧Ｐ３と等しくなった場合（ステップＳ１６：Ｙｅｓ）は、ステップＳ１１に戻り、一般室３０における気圧Ｐ３を検出する処理以降を繰り返す。これにより、隔離室１０の気圧が、一般室３０の気圧Ｐ３と等しい状態に保たれる。また、減圧室２０の気圧が、隔離室１０及び一般室３０よりも低い気圧の状態に保たれる。
【００４３】
上記した気圧制御装置１は、隔離室１０と一般室３０とが気圧Ｐ３の状態に保たれて、これらの室内の間に位置する減圧室２０が、気圧Ｐ３よりも低い気圧の状態に保たれるように制御する。また、減圧室２０には、給排気する空気の清浄化を行うフィルターが取り付けられている。
これにより、例えば患者や病院スタッフ等が一般室３０から減圧室２０を通って隔離室１０に移動する際、一般室３０から減圧室２０に流入した空気に含まれる例えば塵埃や菌などの異物等が、減圧室２０において除去されることになる。また、隔離室１０は減圧室２０よりも気圧が高いことから、減圧室２０における異物等が隔離室１０に流入してしまうのを防止することができる。従って、一般室３０における異物等が隔離室１０に流入するのが困難となり、隔離室１０は清浄化された空気の状態を保つことができる。
【００４４】
また、隔離室１０が、例えば感染症患者が入院する病室であった場合、隔離室１０における病原菌等が減圧室２０に流出した際、これらの病原菌等は減圧室２０において除去されることになる。そして、一般室３０は減圧室２０よりも気圧が高いことから、減圧室２０における病原菌等が一般室３０に更に流出してしまうのを防止することができる。従って、隔離室１０における病原菌等が一般室３０に流出してしまうのを防止することができる。
【００４５】
更に、隔離室１０は一般室３０と同じ気圧の状態に保たれていることにより、一般室３０と隔離室１０とを互いに移動する患者や病院スタッフ等が、気圧の変化によって耳詰まりや内耳に負担がかかってしまう等の問題を解消することができる。特に、体力が常人に比べて十分とは言えない患者については、大きな生体的負担を回避することができる。
【００４６】
ここで、隔離室１０と一般室３０とを同じ気圧の状態に保つにあたって、それぞれの気圧が厳密に一致するのではなく微小な差異が生じても良い。この場合、隔離室１０と一般室３０との気圧差は、極めて微小であることが望ましい。気圧差を制御するための圧力センサーとして、一般的にはダイアフラムを用いた圧力センサーが広く利用されている。例えば、特開２００５−３１５８９０号公報には図１１に示すように、ダイアフラムと感圧素子としての抵抗とを組み合わせた構造が提案されている。
【００４７】
しかし、この圧力センサーの性能は、圧力精度±２００Ｐａ（パスカル）、分解能０．６Ｐａであり、本実施形態で用いる圧力センサーとしては好ましいとは言えない。本実施形態における上記した圧力センサーＳ１は、感圧素子に双音叉振動子を用いたものである。そして、被測定圧力を受圧したダイアフラムが撓むと、その撓みに応じて双音叉振動子に引張り或いは圧縮応力が生じて双音叉振動子の共振周波数が変化するのを利用し、被測定圧力の圧力値を検出する。この圧力センサーＳ１の性能は、圧力精度±１０Ｐａ、分解能０．０５Ｐａであり、本実施形態において気圧差を制御するためには極めて好適である。
【００４８】
（第２実施形態）
次に、第２実施形態に係る気圧制御装置２について説明する。
図６は、第２実施形態に係る気圧制御装置２の機能構成を示すブロック図である。同図に示すように、第２実施形態に係る気圧制御装置２では、図４に示す第１実施形態に係る気圧制御装置１の機能構成における減圧室２０が、加圧室４０に置き替わっている。
【００４９】
また、第２実施形態における気圧調整部５０は、加圧室４０に設定する気圧を設定気圧Ｐ４とした場合に、隔離室１０に対しての設定気圧Ｐ１、及び加圧室４０に対しての設定気圧Ｐ４の設定値を調整する。そして、調整した設定値に基づいて隔離室１０及び加圧室４０の各気圧コントローラー７０を制御することにより、隔離室１０が設定気圧Ｐ１の状態に、加圧室４０が設定気圧Ｐ４の状態に保たれるようにする。
【００５０】
ここで、気圧調整部５０は、一般室３０の気圧Ｐ３に基づいて、隔離室１０の設定気圧Ｐ１を一般室３０の気圧Ｐ３と同じ気圧になるように設定値を調整する。また、加圧室４０の設定気圧Ｐ４を、隔離室１０の設定気圧Ｐ１及び一般室３０の気圧Ｐ３よりも高い設定値になるように調整する。
【００５１】
次に、第２実施形態に係る気圧制御装置２の動作について説明する。
図７は、第２実施形態に係る気圧制御装置２の動作を示すフローチャートである。同図に示すフローチャートは、図４に示す気圧制御装置１と同様に、気圧制御装置２の図示しない開始スイッチがオンされた場合に開始されて、オフされた場合に終了する。
【００５２】
気圧制御装置２は、一般室３０における気圧Ｐ３を検出し（ステップＳ１１１）、加圧室４０の圧力センサーＳ１により、加圧室４０における気圧を検出する（ステップＳ１１２）。
【００５３】
次に、気圧制御装置２は、気圧調整部５０により、ステップＳ１１２において検出した加圧室４０の気圧が、一般室３０の気圧Ｐ３に対して所定の気圧を加算した設定気圧Ｐ４と等しいか否かを判定する（ステップＳ１１３）。
【００５４】
加圧室４０の気圧が設定気圧Ｐ４と等しくない場合（ステップＳ１１３：Ｎｏ）は、加圧室４０の気圧コントローラー７０により、加圧室４０の気圧が設定気圧Ｐ４に近づくように気圧を上昇又は下降させる（ステップＳ１１４）。そして、ステップＳ１１２に戻り、加圧室４０における気圧の検出を繰り返す。
ここでは、ステップＳ１１２〜Ｓ１１４の処理を繰り返して行うことにより、加圧室４０の気圧が設定気圧Ｐ４と等しくなる。なお、加圧室４０の気圧が設定気圧Ｐ４に厳密に一致するのではなく微小な差異があっても良い。
【００５５】
加圧室４０の気圧が設定気圧Ｐ４と等しくなった場合（ステップＳ１１３：Ｙｅｓ）は、ステップＳ１１５へ進む。ステップＳ１１５〜Ｓ１１７では、図５に示す気圧制御装置１におけるステップＳ１５〜Ｓ１７と同様に、隔離室１０の気圧が一般室３０の気圧Ｐ３と等しくなるように制御する。そして、ステップＳ１１１に戻り、一般室３０における気圧Ｐ３を検出する処理以降を繰り返す。これにより、隔離室１０の気圧が、一般室３０の気圧Ｐ３と等しい状態に保たれる。また、加圧室４０の気圧が、隔離室１０及び一般室３０よりも高い気圧の状態に保たれる。
【００５６】
上記した気圧制御装置２は、隔離室１０と一般室３０とが気圧Ｐ３の状態に保たれて、これらの室内の間に位置する加圧室４０が、気圧Ｐ３よりも高い気圧の状態に保たれるように制御する。
加圧室４０は一般室３０よりも気圧が高いことから、一般室３０における異物等が加圧室４０に流入してしまうのを防止することができる。また、流入したとしても、加圧室４０に取り付けられたフィルターによって除去されることになる。従って、一般室３０における異物等が隔離室１０に流入するのが困難となり、隔離室１０は清浄化された空気の状態を保つことができる。
【００５７】
また、隔離室１０が、例えば感染症患者が入院する病室であった場合、加圧室４０は隔離室１０よりも気圧が高いことから、隔離室１０における病原菌等が加圧室４０に流出してしまうのを防止することができる。また、流出したとしても、加圧室４０に取り付けられたフィルターによって除去されることになる。従って、隔離室１０における病原菌等が一般室３０に流出するのを防止することができる。
【符号の説明】
【００５８】
１，２…気圧制御装置、１０…隔離室、２０…減圧室、３０…一般室、４０…加圧室、５０…気圧調整部、７０…気圧コントローラー、７１…ポンプ機構、７２…給気ダクト、７３…排気ダクト、７５…制御部、１２０…ダイアフラム、１２２…薄肉部、１２４…支持部、１２６…突出部、１２８…枠部、１３０…圧電振動片、１３２…基部、１３４…振動部、１４０…容器、Ｐ１，Ｐ２，Ｐ４…設定気圧、Ｐ３…気圧。
【図１】
2010240282.tif 000003
【図２】
2010240282.tif 000004
【図３】
2010240282.tif 000005
【図４】
2010240282.tif 000006
【図５】
2010240282.tif 000007
【図６】
2010240282.tif 000008
【図７】
2010240282.tif 000009
【図８】
2010240282.tif 000010
【図９】
2010240282.tif 000011
【図１０】
2010240282.tif 000012
【図１１】
2010240282.tif 000013